【事件の表示】
　特願２００３−１８８４０５「多チャンネル立体音響サウンドの生成方法及び装置」拒絶査定不服審判事件〔平成１６年　２月１２日出願公開、特開２００４−　４８７５１〕について、次のとおり審決する。
【結　論】
　本件審判の請求は、成り立たない。
【理　由】
１．本願発明
　本願は、平成１５年６月３０日（パリ条約による優先権主張　２００２年７月８日（ＫＲ）大韓民国）の出願であって、本願の請求項１に係る発明
（以下、「本願発明」という。）は、平成１９年１１月１２日付けの手続補正書の特許請求の範囲の請求項１に記載された事項により特定される、以下のとおりのものである。
　
「多チャンネル立体音響サウンドシステムにて、
　複数の出力チャンネルがさらに追加された場合、左側ステレオチャンネル信号と右側ステレオチャンネル信号及び中央チャンネルの信号を利用して追加された出力を生成し、
　前記多チャンネル立体音響サウンドシステムは５．１チャンネル立体音響サウンドシステムであり、前記追加される複数の出力チャンネルはＴＶまたはステレオオーディオシステムのスピーカを利用する多チャンネル立体音響サウンドの生成方法。」
　
２．引用例
　原査定の拒絶の理由に引用された特開２００１−３０９５００号公報（以下、「引用例」という。）には、図面とともに以下の記載がなされている。
　
（１）「【特許請求の範囲】
【請求項１】……
【請求項２】　右スピ−カ−、左スピ−カ−、センタースピ−カ−、ウー
ハースピ−カ−の４つのスピーカーを内蔵するテレビジョン受像機におい
て、２ｃｈ音声入力時には前記左右のスピーカー成分を基に合成した信号
を，前記センタースピーカー及びウーハースピーカーから出力し、５．１ｃｈ音声入力時には前記センタースピーカー及びウーハースピーカーに割り当てられたｃｈ成分を，前記センタースピーカー及びウーハースピーカーから出力することを特徴とする音声出力切替回路。」
　
（２）「【０００５】
【発明の実施の形態】本発明は、右スピ−カ−、左スピ−カ−、センタースピ−カ−、ウーハースピ−カ−の４つのスピーカーを内蔵するテレビジョン受像機において、２ｃｈ音声入力時には前記左右のスピーカー成分を基に合成した信号を，前記センタースピーカー及びウーハースピーカーから出力
し、５．１ｃｈ音声入力時には前記センタースピーカー及びウーハースピーカーに割り当てられたｃｈ成分を，前記センタースピーカー及びウーハースピーカーから出力することを特徴とする音声出力切替回路としたもので、
ユーザーは５．１ｃｈ音声入力時にはより臨場感あふれた音声を楽しむことが出来るという作用を有する。」
　
（３）「【０００９】（実施例２）図２は本発明の実施例２におけるＢＳデジタルテレビジョン受像機の音声出力切替回路を示す。図２において、符号９はセット内蔵センタースピーカー、１１はセット内蔵ウーハースピーカーであり、７は５．１ｃｈ音声入力時と２ｃｈ音声入力時でセンター及びウーハースピーカーの出力を切り換える音声出力切替回路であり、１０は２ｃｈ音声入力時に左右の音声からセンタースピーカー及びウーハー成分を作り出す合成回路である。
【００１０】２ｃｈ音声入力時には、合成回路１０で作られたセンタース
ピーカー及びウーハースピーカー成分が音声出力切替回路７を通りセット内蔵センタースピーカー９、セット内蔵ウーハースピーカー１１へ出力され
る。５．１ｃｈ音声入力時には音声出力切替回路７が判別して、５．１ｃｈ音声入力からセンタースピーカー及びウーハースピーカーへ割り当てられた成分をセット内蔵センタースピーカー９、セット内蔵ウーハースピーカーへ出力する。」
　
　したがって、引用例には次の発明（以下、「引用発明」という。）が記載されているといえる。
　
「右スピ−カ−、左スピ−カ−、センタースピ−カ−を内蔵し、２ｃｈ音声入力時に、左右のスピーカー成分を基に合成した信号を、前記センタース
ピーカーから出力するテレビジョン受像機。」
　
４．対比
　引用発明の２ｃｈ音声入力時に、「右スピ−カ−」と「左スピ−カ−」から、それぞれ左右のスピーカー成分の信号が出力されることは明らかであ
り、２ｃｈのシステムは多チャンネル立体音響サウンドシステムの最小の
チャンネル数のものであるから、引用発明は多チャンネル立体音響サウンドシステムといえ、そのサウンドの生成方法が実質的に示されているといえ
る。
　引用発明の「センタースピ−カ−」は、「右スピ−カ−」と「左スピ−
カ−」の２ｃｈに、さらに追加されたチャンネルの信号を出力するものであり、左右のスピーカー成分を基に合成した信号を出力するのであるから、既存のチャンネルの信号を利用して追加された出力を生成する点で、本願発明が「左側ステレオチャンネル信号と右側ステレオチャンネル信号及び中央
チャンネルの信号を利用して追加された出力を生成し」とする点と共通す
る。
　
　したがって、本願発明と引用発明とを対比すると、次の点で一致する。
　
「多チャンネル立体音響サウンドシステムにて、
　出力チャンネルがさらに追加された場合、既存のチャンネルの信号を利用して追加された出力を生成する多チャンネル立体音響サウンドの生成方
法。」
　
　また次の点で相違する。
　
　相違点
　本願発明は、多チャンネル立体音響サウンドシステムが５．１チャンネル立体音響サウンドシステムであり、複数の出力チャンネルが追加され、その追加される複数の出力チャンネルはＴＶまたはステレオオーディオシステムのスピーカを利用するものであるのに対して、引用発明は、多チャンネル立体音響サウンドシステムが２ｃｈ音声のものであり、追加される出力チャンネルはセンタースピーカーのもので、ＴＶまたはステレオオーディオシステムのスピーカを利用することについての特定のない点。
　
５．相違点に対する判断
　５．１チャンネル立体音響サウンドシステムとＴＶ受像機を使用して、ビデオコンテンツを視聴することは普通に行われることであり、そのＴＶ受像機の左側スピーカが、５．１チャンネル立体音響サウンドシステムの左側ステレオチャンネルと中央チャンネル間に位置し、ＴＶ受像機の右側スピーカが、５．１チャンネル立体音響サウンドシステムの右側ステレオチャンネルと中央チャンネル間に位置することは当然のことであり、本願の明細書に
「　　【００２０】
　図２は５．１チャンネルサウンドシステムにＴＶ受像機が備わった場合の既存システム構成図面である。
　　　【００２１】
　一般的にＴＶ受像機が備わったホームシアタシステムにてＴＶ受像機２１０は中央に位置するので、ＴＶ受像機のスピーカは左側ステレオチャンネル２２０と中央チャンネル２３０間に、そして右側ステレオチャンネル２４０と中央チャンネル２３０間に位置する。」
と記載されているとおりである。
　５．１チャンネル立体音響サウンドシステムとＴＶ受像機を使用して、ビデオコンテンツを視聴する場合にも、より迫力のある臨場感にあふれた音声を楽しみたいのは当然のことであるから、さらに出力チャンネルを追加することに困難な点はないし、５．１チャンネル立体音響サウンドシステムの既存のチャンネルである左側ステレオチャンネルと中央チャンネル間に当然に位置することになる、ＴＶ受像機の左側スピーカと、５．１チャンネル立体音響サウンドシステムの既存のチャンネルである右側ステレオチャンネルと中央チャンネル間に当然に位置することになる、ＴＶ受像機の右側スピーカとを、利用することにも格別の点はない。
　したがって、引用発明の２ｃｈ音声を５．１チャンネル立体音響サウンドシステムとするとともに、追加される出力チャンネルを、５．１チャンネル立体音響サウンドシステムの既存のチャンネルである左側ステレオチャンネルと中央チャンネル間に位置する、ＴＶ受像機の左側スピーカと、５．１
チャンネル立体音響サウンドシステムの既存のチャンネルである右側ステレオチャンネルと中央チャンネル間に位置する、ＴＶ受像機の右側スピーカとを、利用するものとして（当然、その追加される出力チャンネルの出力は、既存のチャンネルである左側ステレオチャンネル信号と右側ステレオチャンネル信号及び中央チャンネルの信号を利用して生成されることになる。）、本願発明と同様のものとすることに困難な点はない。
　
６．むすび
　以上のとおり、本願発明は、引用発明に基づいて、当業者が容易に発明をすることができたものであるから、特許法第２９条第２項の規定により特許を受けることができない。
　よって、結論のとおり審決する。